(57)【要約】【課題】  光沢写真（グロス）画像が混在する印刷データについて、線速を切換え印刷しても印刷期間を短縮化できるようにする。【解決手段】  印刷部１３は印刷データをグロスモードや文字モードで用紙に線速を切換え印刷する。モード判別部９は印刷データの頁毎にグロスモードや文字モードを判別する。印刷制御部１は、印刷データの各頁を当該判別モードに関連付けた頁データで管理し、グロスモードで印刷データ頁をまとめて印刷部１３を印刷制御する。差込制御部１７は、排紙された印刷用紙が差込部１５にセットされると、文字モードに係る印刷データ頁の印刷を印刷制御部１に指示する。差込制御部１７は、印刷部１３から排紙される印刷用紙に対し、頁データに従い、差込部１５にセットされた印刷用紙を差込み給紙制御して印刷データの頁順序に印刷用紙を調整制御する。【選択図】  図１
2008201098.tif 000002
【特許請求の範囲】
【請求項１】
印刷データに応じて印刷媒体にグロスモードと文字モードで線速を切換えて印刷可能な印刷部と、
前記印刷データの頁毎に前記グロスモードと文字モードを判別するモード判別部と、
前記印刷データの各頁を当該判別モードに関連付けた頁データで管理するとともに、一方の同じ前記判別モード毎に該当する前記印刷データ頁をまとめて前記印刷部で印刷制御する印刷制御部と、
排紙された前記印刷媒体が差込み用にセットされる差込部と、
この差込部に前記印刷媒体がセットされたとき、他方の前記モードに係る前記印刷データ頁の印刷を前記印刷制御部に指示し、前記印刷部から排紙される印刷媒体に対し、前記頁データに従い、前記差込部にセットされた前記印刷媒体を差込み給紙制御して前記印刷データの頁順序に前記印刷媒体を調整制御する差込制御部と、
を具備することを特徴とする印刷装置。
【請求項２】
前記印刷データの頁順序に調整された前記印刷媒体の後処理をする後処理部を有する請求項１記載の印刷装置。
【請求項３】
前記印刷制御部は、前記グロスモードの前記印刷データ頁を先にまとめて印刷制御する請求項１又は２記載の印刷装置。
【請求項４】
前記文字モードは、白黒文字モード又はカラー文字モードである請求項１〜３いずれか１記載の印刷装置。
【請求項５】
印刷データの頁毎にグロスモードと文字モードを判別するモード判別処理と、
前記印刷データの各頁を当該判別モードに関連付けた頁データで管理するデータ管理処理と、
前記頁データに基づき同じ前記判別モード毎に該当する前記印刷データ頁をまとめて印刷制御する印刷制御処理と、
この印刷制御処理による印刷制御に基づき前記印刷媒体に前記印刷データを該当するグロスモード又は文字モードで線速を切換えて印刷する印刷処理と、
排紙された前記印刷媒体を差込部にセットする差込みセット処理と、
前記差込部に前記印刷媒体がセットされたとき、他方の前記モードに係る前記印刷データ頁の印刷を前記印刷制御処理に指示するとともに、前記印刷および排紙された他方の前記モードに係る印刷媒体に対し、前記頁データに従い、差込みセットされた前記印刷媒体を差込み給紙制御して前記印刷データの頁順序に前記印刷媒体を調整制御する差込制御処理と、
を具備することを特徴とする印刷処理方法。
【請求項６】
前記印刷データの頁順序に調整された前記印刷媒体を後処理する請求項５記載の印刷処理方法。
【請求項７】
前記印刷制御処理は、先に前記グロスモードの前記印刷データ頁をまとめて印刷制御する請求項５又は６記載の印刷処理方法。
【請求項８】
前記文字モードは、白黒文字モード又はカラー文字モードである請求項５〜７いずれか１記載の印刷装置。
【発明の詳細な説明】
【技術分野】
【０００１】
本発明は印刷装置および印刷処理方法に係り、例えば複写機、ファクシミリ機又はこれらの複合機（ＭＦＰ：Multi Function Peripheral）等に用いられる印刷装置および印刷処理方法の改良に関する。
【背景技術】
【０００２】
近年、複写機、ファクシミリ機、複合機等の画像形成装置においては、文字や画像といった印刷データの態様に応じて印刷排紙速度（線速）を切換え動作可能な構成を搭載する例がある。
【０００３】
そのような複数の線速機能を有する画像形成装置において、例えば図３Ａに示すように、カラー光沢写真（グロス）画像Ｃ１、Ｃ３、Ｃ４、Ｃ５および白黒文字画像Ｂ２、Ｂ６がＣ１、Ｂ２、Ｃ３、Ｃ４、Ｃ５、Ｂ６の順で混在する印刷データを印刷する場合、グロス画像Ｃ１〜Ｃ５と白黒文字画像Ｂ２、Ｂ６では線速が大幅に異なるため、一旦、印刷部の動作を停止し、搬送モータおよび現像設定を切り換え、同図Ｂのように印刷している。
【０００４】
なお、後処理装置を連結する場合、印刷部の動作に連動して当該後処理装置も停止制御している。
【０００５】
例えば、特許第３７３７３６９号公報（特許文献１）に示す画像形成装置もこの種のものである。
【０００６】
すなわち、この特許文献１は、用紙搬送速度の調整が可能な装置本体に、用紙の後処理用の整合トレイを有する用紙後処理装置が付設された画像形成装置であり、その整合トレイに用紙を排出する排紙ローラを駆動するためのモータと、用紙後端が用紙後処理装置に最も近い装置本体側の位置に配設された搬送ローラを通過したことを検知する本体側出紙検知手段と、この本体側出紙検知手段から出力される検知信号に基づいてモータの回転数を制御する制御手段とを具備し、用紙後端が搬送ローラを通過したことを本体側出紙検知手段で検知したとき排紙ローラの回転数を低下制御し、ステープルモードを選択したときには用紙間隔を大に設定する構成を有し、線速を変化させても、複雑な排紙機構を用いることなく高いスタッキング性を確保可能にしたものである。
【０００７】
さらに、特開平８−２７９８８４号公報（特許文献２）に示す画像形成装置も提案されている。
【０００８】
この特許文献２は、画像読取ユニットで読取った画像に対してカラー画像と白黒画像を判別し、原稿の画像に応じた画像処理を行なう自動カラー選択処理モードと、文字部と写真部とを判別して原稿の画像に応じた画像処理を行なう自動画像分離モードとを実行可能に構成し、カラー画像を含む原稿に対するファーストコピー時間の短縮化と、操作性およびコピーの生産性を向上させるものである。
【特許文献１】特許第３７３７３６９号公報
【特許文献２】特開平８−２７９８８４号公報
【発明の開示】
【発明が解決しようとする課題】
【０００９】
しかしながら、上述した特許文献１、２を含めた従来技術では、何れも、解像度の高い例えばカラー画像を印刷する場合に排紙線速を低下させて良好な印刷品質を確保するものであり、例えば上述した図３Ａに示したように、グロス画像と白黒文字画像がＣ１、Ｂ２、Ｃ３、Ｃ４、Ｃ５、Ｂ６の順で混在する印刷データを印刷する場合、図４Ａに示すように、グロス画像Ｃ１〜Ｃ５と白黒文字画像Ｂ２、Ｂ６の印刷処理の間で線速を切り換えるために、印刷部の動作を停止し、搬送モータおよび現像設定を切り換える紙間Ｓが必要となり、印刷に要する期間が大幅に長くなりがちである。
【００１０】
なお、図４中のカラー画像Ｃ１〜Ｃ５は、便宜上、白黒文字画像Ｂ２、Ｂ６と同じ印刷期間として図示した（以下同じ）
【００１１】
しかも、排紙された印刷後の印刷用紙に対してフィニッシャ等の後処理を行う場合、印刷部の動作停止とともに、排紙段の動作も連動して停止させて線速変化に対応させる切り換えも必要で、印刷用紙の後処理への搬送が遅れがちとなり、後処理を含めた印刷ジョブの終了期間が長くなりがちである。
【００１２】
特に、印刷部数が増加すると、印刷に要する期間が極めて長くなるから、改善が望まれている。
【００１３】
本発明はそのような課題を解決するためになされたもので、グロス画像を有する印刷データについてグロス線速に切換え印刷しても、印刷完了までの期間の短縮化を可能にした印刷装置および印刷処理方法の提供を目的とする。
【課題を解決するための手段】
【００１４】
そのような課題を解決するために本発明に係る印刷装置は、印刷データに応じて印刷媒体にグロスモードと文字モードで線速を切換えて印刷可能な印刷部と、その印刷データの頁毎にグロスモードと文字モードを判別するモード判別部と、その印刷データの各頁に当該判別モードに関連付けた頁データで管理するとともに、一方の判別モード毎に該当する印刷データ頁をまとめて印刷部で印刷制御する印刷制御部と、排紙された印刷媒体が差込み用にセットされる差込部と、この差込部にその印刷媒体がセットされたとき、他方のモードに係る印刷データ頁の印刷を上記印刷制御部に指示してその印刷部から排紙される印刷媒体に対し、上記頁データに従い、その差込部にセットされた印刷媒体を差込み給紙制御して印刷データの頁順序に印刷媒体を調整制御する差込制御部とを具備している。
【００１５】
本発明の印刷装置では、上記印刷データの頁順序に調整された印刷媒体の後処理をする後処理部を有する構成も可能である。
【００１６】
本発明の印刷装置では、上記印刷制御部が、先にグロスモードの印刷データ頁をまとめて印刷制御する構成も可能である。
【００１７】
本発明の印刷装置では、上記文字モードとして白黒文字モード又はカラー文字モードとする構成も可能である。
【００１８】
本発明に係る印刷処理方法は、印刷データの頁毎にグロスモードと文字モードを判別するモード判別処理と、その印刷データの各頁を当該判別モードに関連付けた頁データで管理するデータ管理処理と、その頁データに基づき同じ判別モード毎に該当する印刷データ頁をまとめて印刷制御する印刷制御処理と、この印刷制御処理による印刷制御に基づき印刷媒体に印刷データを該当するグロスモードと文字モードで切換え印刷する印刷処理と、排紙された印刷媒体を差込部にセットする差込みセット処理と、その差込部に印刷媒体がセットされたとき、他のモードに係る印刷データ頁の印刷を印刷制御処理に指示するとともに、印刷および排紙された他方のモードに係る印刷媒体に対し、上記頁データに従い、差込みセットされた印刷媒体を差込み給紙制御して印刷データの頁順序に印刷媒体を調整制御する差込制御処理とを具備している。
【００１９】
本発明の印刷処理方法では、上記印刷データの頁順序に調整された印刷媒体の後処理を行う構成も可能である。
【００２０】
本発明の印刷処理方法では、上記印刷制御処理が、先にグロスモードの印刷データ頁をまとめて印刷制御する構成も可能である。
【００２１】
本発明の印刷処理方法では、上記文字モードとして白黒文字モード又はカラー文字モードとする構成も可能である。
【発明の効果】
【００２２】
このような本発明に係る印刷装置および印刷処理方法では、印刷データの頁毎にグロスモードと文字モードをモード判別部で判別し、印刷制御部にて、その印刷データの各頁を当該判別モードに関連付けた頁データで管理するとともに同モード毎に該当する印刷データ頁をまとめて印刷制御し、この印刷制御に基づき印刷媒体に印刷データを該当するモード線速に切換えて印刷部で印刷して排紙し、排紙された印刷媒体が差込部にセットされたとき、差込制御部が、他のモードに係る印刷データ頁の印刷をその印刷制御部に指示して印刷部から排紙される印刷媒体に対し、上記頁データに従い、その差込部にセットされた印刷媒体を差込み給紙制御して印刷データの頁順序に印刷媒体を調整制御するから、印刷データについてグロスモード線速を切換えて印刷する場合でも、印刷完了までの期間の短縮が可能である。
【００２３】
本発明において、上記印刷データの頁順序に調整された印刷媒体を後処理する構成では、後処理完了までの期間の短縮化が可能である。
【００２４】
本発明において、上記印刷制御部が先にグロスモードの印刷データ頁をまとめて印刷制御する構成では、特に、印刷データにグロス画像頁が混在していても、印刷完了までの期間や後処理完了までの期間の短縮化が可能である。
【００２５】
本発明において、上記モード判別部が２速以上の線速を判別する構成では、印刷データに種々のカラー頁が混在していても、印刷完了までの期間や後処理完了までの期間の短縮化が可能である。
【００２６】
本発明において、上記文字モードとして白黒文字モード又はカラー文字モードとする構成では、印刷データにグロス画像、白黒文字およびカラー文字頁が混在していても、印刷完了までの期間や後処理完了までの期間の短縮化が可能である。
【発明を実施するための最良の形態】
【００２７】
以下、本発明の実施の形態を図面を参照して説明する。
【００２８】
図１は本発明に係る印刷装置の実施の一形態を示す概略ブロック図である。なお、本発明に係る印刷処理方法については印刷装置を説明する過程で説明する。
【００２９】
図１において、本発明に係る印刷装置は、印刷制御部１を中心にして画像読取部３、通信部５、記憶部７、モード判別部９、操作パネル部１１、印刷部１３、差込部１５、差込制御部１７を有して構成されている。印刷制御部１は、画像読取部３、通信部５、記憶部７、モード判別部９、操作パネル部１１、印刷部１３および差込制御部１７を制御するものであるが、詳細は後述する。
【００３０】
画像読取部３は、例えば図２の画像形成装置Ａにおいて、本体ケース１９の上部に配置され、印刷制御部１の制御の下、例えば写真画像や白黒文字画像が頁毎に混在した複数頁の原稿からそれら画像を光学的に読み込み、フィルタ処理、変倍処理および階調処理等をして電子的印刷データを印刷ジョブとして生成する公知のスキャナー等であり、生成した印刷データが原稿の頁毎に記憶部７に順次記憶されるようになっている。画像形成装置Ａの内部構成については後述する。
【００３１】
通信部５は、印刷制御部１の制御の下、図示しないネットワークを介して例えば他の複合機との間で、写真画像や白黒文字画像を含む印刷データを所定のプロトコルで受信し、頁毎に記憶部７に順次記憶するインターフェース部である。
【００３２】
記憶部７は、画像読取部３や通信部５からの印刷データに加えて、後述する頁データを格納する機能する他、印刷制御部１の動作プログラムを格納する例えばハードディスク（ＨＤＤ）である。
【００３３】
モード判別部９は、記憶部７に記憶された印刷データについて頁毎の排紙線速を判別し、印刷データの個々の頁がカラー光沢写真（グロス）モード、カラー文字モード、白黒文字モードの何れに該当するかを判別し、頁毎のモード判別結果を印刷制御部１に出力する機能を有している。
【００３４】
印刷データの排紙線速を判別する手法は、公知のものであるが、例えば、個々の頁毎に、所定の判別エリアにおける各画素の階調データについて最大値と最小値との差が一定値よりも小さい場合に白黒文字モードと判別し、全画素中の有彩画素の連続性および頻度を計数して計数結果がある値以上あればカラー文字モードと判別し、更に、計数結果が特定の値以上あればグロスモードと判別する。
【００３５】
操作パネル部１１は、例えば図２の画像形成装置Ａの本体ケース１９の上部に配置された液晶表示部およびタッチスイッチ入力部を兼ねた液晶操作パネル等からなっている。
【００３６】
操作パネル部１１は、印刷する印刷媒体である印刷用紙の選択、印刷の実行又は中止、本発明に係る印刷処理方法、すなわち線速モード別のまとめ印刷の実行又は中止、その他従来公知の表示入力機能を有し、印刷制御部１によって制御される。
【００３７】
印刷部１３は、図２の画像形成装置Ａの本体ケース１９内に配置され、搬送用紙に印刷データを印刷して排紙するものでありグロスモード、カラー文字モード又は白黒文字モードに応じて、用紙の搬送速度、画像の転写定着速度等を切換え設定して印刷動作が可能になっている。なお、グロスモードが最も低速で、カラー文字モード、白黒文字モードの順に高速となる。
【００３８】
印刷制御部１は、ＣＰＵ、このＣＰＵの動作プログラムを格納したメモリ部、入出力インターフェース（いずれも図示せず。）を有し、上述した画像読取部３、通信部５、記憶部７、モード判別部９、操作パネル部１１、印刷部１３を制御するものであり、差込制御部１７にも接続されており、以下の機能を有する。
【００３９】
印刷制御部１は、モード判別部９からのモード判別結果に基づき、記憶部７に記憶された印刷データの頁順序を判別モードに関連付けた頁データを作成して記憶部５に記憶するとともに、その頁データに基づき、例えば遅い線速モードすなわちグロスモードの線速で、該当する印刷データ頁をまとめて印刷するよう印刷部１３を印刷制御し、グロスモードの印刷データ頁の印刷が終了すると印刷部１３を待機制御する機能を有している。
【００４０】
印刷制御部１は、更に、後述する差込制御部１７から指示情報により、次に速い文字モードすなわち白黒文字モードの線速に印刷部１３を切換え制御し、該当する印刷データ頁をまとめて印刷するよう印刷部１３を印刷制御する機能を有している。
【００４１】
差込部１５は、図２の画像形成装置Ａの本体ケース１９において、排紙部２１近傍に連結して配置された後処理装置２３の上部に配置され、後処理装置２３に配置された排紙トレイ２５に排紙された印刷用紙が差込み用にセットされるシートインサータであり、印刷用紙がセットされるとそれを検知してセット信号を差込制御部１７に出力する機能を有している。
【００４２】
差込部１５にセットされた印刷用紙は、差込制御部１７の制御の下、１枚ずつ排紙トレイ２５方向に給紙制御されるようになっている。
【００４３】
差込制御部１７は、ＣＰＵ、このＣＰＵの動作プログラムを格納したメモリ部、入出力インターフェース（いずれも図示せず。）を有し、差込部１５に印刷用紙がセットされてセット信号を受けたとき、次の線速、例えば白黒文字モードに係る印刷データ頁の印刷を印刷制御部１に指示し、これと連携動作する機能を有している。
【００４４】
差込制御部１７は、当該モードで印刷部１３から排紙される印刷用紙に対し、上述した頁データに従い、差込部１５にセットされた印刷用紙を差込み給紙制御し、印刷データの元の頁順序に印刷用紙を調整制御する機能を有している。
【００４５】
差込部１５にセットされた印刷用紙と印刷部１３から排紙された印刷用紙の差込みは、頁データに従って後述するように分岐レバー２７の切り換え動作により、差込部１５からの印刷用紙と印刷部１３からの印刷用紙が切り換え選択されてなされる。
【００４６】
差込制御部１７は、後述するように、排紙された複数枚の印刷用紙を溜めてステイプル処理をする中間スタック部２９、溜められた印刷用紙を折り重ねる折曲加工部３１等の後処理部の動作開始を制御する機能を有している。
【００４７】
図２は、上述した画像形成装置Ａおよび後処理装置２３の内部構成を示す概略図である。
【００４８】
図２において、画像形成装置Ａの本体ケース１９の下部には、給紙カセット３３、３５に加え、これらの給紙カセット３３、３５から１次給紙された印刷用紙を２次給紙しながら印刷データの画像を転写定着する転写定着部３７からなる上述した印刷部１３が配置されている。
【００４９】
印刷部１３は、切り換え設定によってモノクロ印刷、カラー印刷およびグロスカラー印刷が可能になっており、片面に画像が転写定着された印刷用紙を表裏反転させて転写定着部３７に戻す反転搬送部３９も有している。
【００５０】
本体ケース１９の上部には、上述した画像読取部３および操作パネル部１１が配置されており、印刷制御部１、通信部５、記憶部７およびモード判別部９が、本体ケース１９内部の適当な位置に電子回路を形成して配置されている。
【００５１】
印刷部１３の排紙部２１側には、上述したように後処理装置２３が連結するように配置されている。
【００５２】
後処理装置２３は、印刷部１３から排紙された印刷用紙をためる排紙トレイ２５、上述した差込部１５、差込制御部１７、分岐レバー２７、中間スタック部２９、折曲加工部３１を有している。
【００５３】
後処理装置２３中の符号４１は、差込部１５からの印刷用紙と印刷部１３からの印刷用紙とを、排紙トレイ２５に排紙するか中間スタック部２９に排紙するかの分岐レバーであり、後処理制御部１７で制御されており、符号４３、４５は、中間スタック部２９や折曲加工部３１からの印刷用紙の排紙トレイである。
【００５４】
次に、本発明の印刷装置の動作を説明する。
【００５５】
例えば、記憶部５に、図３Ａのようなグロス画像Ｃ１〜Ｃ５と白黒文字画像Ｂ２、Ｂ６からなる印刷データが記憶されており、これを印刷する例を説明する。
【００５６】
印刷指示がなされると、モード判別部９が、記憶部７に記憶された印刷データを読出して頁毎の排紙線速を判別し、例えばグロスモード、白黒文字モードの何れに該当するかを判別処理し、グロスモード、白黒文字モードの判別結果を印刷制御部１に出力処理する。
【００５７】
印刷制御部１は、その印刷データの頁順序を判別モードに関連付けた頁データで管理する頁データを作成して記憶部５に記憶処理する。
【００５８】
印刷制御部１は、その頁データに基づき線速の遅いグロスモードに印刷部１３を切換え制御し、この印刷部１３に対して該当する印刷データ頁をまとめて印刷制御する。
【００５９】
この印刷制御処理による印刷制御に基づき、印刷部１３は、給紙カセット３３、３５から用紙を搬送して画像をグロスモードで転写定着処理して排紙し、印刷処理されて排紙された印刷用紙は、後処理装置の排紙トレイ２５に排紙される。
図４Ｂに示すように、Ｔ１、Ｔ２期間がグロスモードで先に印刷排紙された印刷データの光沢写真頁部分（２セット分）である。
【００６０】
次いで、グロスモードで印刷排紙された印刷用紙が差込部１５にセットされると、差込部１５からセット信号が差込制御部１７に出力され、セット信号に基づき差込制御部１７が次の文字モードに係る印刷データ頁の印刷を印刷制御処理に指示する。
【００６１】
印刷制御部１では、頁データに基づき次に速い線速である白黒文字モードに印刷部１３を切換え制御し、この印刷部１３に対して該当するモードで印刷データ頁をまとめて印刷制御し、印刷部１３が白黒文字モードで印刷排紙された搬送用紙に印刷データ頁を印刷して排紙処理する。
【００６２】
差込制御部１７が、頁データに従って分岐レバー２７を切り換え制御し、差込部１５にセットされた印刷用紙と印刷部１３から排紙された印刷用紙を切り換え選択処理され、グロスモードで印刷排紙された印刷用紙が、白黒文字モードで印刷排紙された印刷用紙に対して差込み給紙され、元の印刷データの頁順序に調整処理する。
【００６３】
図４Ｂに示すＴ３期間が、グロスモードで先に印刷排紙された印刷用紙に対し、白黒文字モードで後から印刷排紙された印刷用紙が差込み給紙された部分（１セット分）である。
【００６４】
元の印刷データの頁順序に調整処理された印刷用紙は、分岐レバー４１の動作制御によって中間スタック部２９に搬送されてステイプル処理されたり、折曲加工部３１に搬送されて折り重ね等の後処理が行われ、排紙トレイ４３、４５に排紙される。
【００６５】
このような処理手順が本発明に係る印刷処理方法である。
【００６６】
このように本発明に係る印刷装置では、印刷データに応じて搬送用紙にグロスモードと文字モードで線速を切換えて印刷可能な印刷部１３と、その印刷データの頁毎にグロスモードと文字モードの線速を判別するモード判別部９と、その印刷データの各を当該判別モードに関連付けた頁データで管理するとともに、グロスモードの印刷データ頁からまとめて印刷部１３で印刷制御する印刷制御部１と、排紙された印刷用紙が差込み用にセットされる差込部１５と、この差込部１５に印刷用紙がセットされたとき、文字モードに係る印刷データ頁の印刷を印刷制御部１に指示して印刷部１３から排紙される印刷用紙に対し、頁データに従い、差込部１５にセットされた印刷用紙を差込み給紙制御して印刷データの頁順序に印刷用紙を調整制御する差込制御部１７とを具備している。
【００６７】
そのため、上記印刷制御部１が線速の遅いグロスモードから印刷データ頁を先にまとめて印刷制御するから、グロスモードと文字モードの切換えによって印刷部の動作を停止したり搬送モータや転写定着設定を切り換える期間が不要になり、印刷完了までの期間や後処理完了までの期間の短縮化が可能である。
【００６８】
しかも、差込部１５として従来のシートインサータを用いることも可能であり、印刷制御部１および差込制御部１７の動作プログラムの変更のみで対応可能であり、従来の機構構造を大幅に変更する必要も少ない利点がある。
【００６９】
さらに、グロス画像頁を線速の遅い印刷データ頁として検出して先にまとめて印刷処理するから、図４Ｂに示すように、グロスモードと文字モードで線速切換えによる停止や待機期間が大幅に短縮化され、印刷データにカラー写真頁と文字画像頁が混在していても、印刷完了までの期間や後処理完了までの期間の短縮化が可能である。
【００７０】
すなわち、本発明では、線速の遅いカラー写真頁から印刷データ頁を先にまとめて印刷制御する構成において、特に有用である。
【００７１】
また、印刷データの頁順序に調整された印刷用紙の後処理をする後処理部２３を有するから、印刷用紙を速く後処理工程に搬出可能であるから、後処理完了までの期間も短縮化される。
【００７２】
そして、本発明における差込部１５は、後処理装置２３に配置する構成に限定されず、画像形成装置Ａ内に配置する構成も可能であり、要は、印刷部１３からの排紙部２１の以降に配置されていれば、何れの位置に配置しても本発明の目的達成が可能である。
【００７３】
さらに、本発明において、判別するモードはグロスモードと白黒文字モードの２線速に限定されず、例えば文字モードとしてカラー文字モードおよび／又は白黒文字モードとする構成も可能であり、グロスモードとカラー文字モードの２速、グロスモード、カラー文字モードおよびグロスモードの３速等、種々の形態が可能である。
【００７４】
なお、本発明の実施に使用する用紙は、紙媒体に限らず合成樹脂シートその他の印刷媒体で実施可能である。
【００７５】
ところで、本発明に係る印刷処理方法でも、印刷装置と同様な効果を得ることが可能である。
【図面の簡単な説明】
【００７６】
【図１】本発明に係る印刷装置の実施の一形態を示す概略ブロック図である。
【図２】図１の印刷装置を画像形成装置および後処理装置とともに示す概略構成図である。
【図３】印刷データの内容例を説明する図である。
【図４】本発明および従来の印刷装置における印刷動作を説明する図である。
【符号の説明】
【００７７】
１  印刷制御部
３  画像読取部
５  通信部
７  記憶部
９  モード判別部
１１  操作パネル部
１３  印刷部
１５  差込部
１７  差込制御部
１９  本体ケース
２１  排紙部
２３  後処理装置
２５、４３、４５  排紙トレイ
２７、４１  分岐レバー
２９  中間スタック部
３１  折曲加工部
３３、３５  給紙カセット
３７  転写定着部
３９  反転搬送部
Ａ  画像形成装置
【図１】
2008201098.tif 000003
【図２】
2008201098.tif 000004
【図３】
2008201098.tif 000005
【図４】
2008201098.tif 000006